(57)【要約】  本発明は、個人衛生の衛生的な吸収性物品の分野に関する。本発明の特定の焦点は、婦人衛生の吸収性物品である。本発明は、個々に包装された拭き取り用品と組み合わせた、個々に包装された吸収性物品を提供する。吸収性物品のパッケージ及び拭き取り用品のパッケージの少なくとも１つは、パッケージ側に取り付け手段を備え、他のパッケージをそれに取り付けるのを可能にする。その結果、吸収性物品のユーザは、要求に応じて個々に包装された吸収性物品と個々に包装された拭き取り用品とを組み合わせる機会が与えられる。【特許請求の範囲】
【請求項１】
個々に包装された洗浄用拭き取り用品であって、前記拭き取り用品のパッケージが、ある表面に取り付けるための取り付け手段をパッケージ側に備えることを特徴とする拭き取り用品。
【請求項２】
前記取り付け手段が接着剤である請求項１に記載の拭き取り用品。
【請求項３】
前記接着剤が、不活性であり、ユーザによる活性化を必要とする請求項２に記載の拭き取り用品。
【請求項４】
前記接着剤が、剥離紙で覆われており、前記剥離紙を取り除くことにより活性化される請求項３に記載の拭き取り用品。
【請求項５】
前記接着剤が、封入されており、圧力を加えることにより前記封入部を破断して、活性化される請求項３に記載の拭き取り用品。
【請求項６】
前記取り付け手段が、フック・ループ式機械的ファスナである請求項１に記載の拭き取り用品。
【請求項７】
前記パッケージが、２つの対向する表面についてほぼ平坦であり、また前記表面の１つに前記接着剤又は前記機械的ファスナを備える請求項１〜６のいずれか１項に記載の拭き取り用品。
【請求項８】
前記パッケージが、遮断性を有する材料から作製されており、前記拭き取り用品から水分が蒸発するのを防ぐようにした請求項１〜７のいずれか１項に記載の拭き取り用品。
【請求項９】
前記パッケージの前記材料が、ポリエチレンの下層と、共押出し成形された指向性ポリプロピレン及びポリエチレンの上層と、前記下層と前記上層の間に配置したアルミニウムホイル又はアルミニウム被覆されるポリエチレンの中間層とを有し、ここで、前記中間層が前記上層の前記指向性ポリプロピレン側に対面するように、前記上層が向けられるようにした請求項８に記載の拭き取り用品。
【請求項１０】
前記パッケージが開放補助具を備える請求項１〜９のいずれか１項に記載の拭き取り用品。
【請求項１１】
前記拭き取り用品が、湿りを与えられる請求項１〜１０のいずれか１項に記載の拭き取り用品。
【請求項１２】
各パッケージが、１つの洗浄用拭き取り用品だけを有する請求項１〜１１のいずれか１項に記載の拭き取り用品。
【請求項１３】
前記拭き取り用品を有する前記パッケージを、前記接着剤によって吸収性物品のパッケージに取り付けることにより、組み合わされた吸収性物品を形成する請求項１〜１２のいずれか１項に記載の拭き取り用品の使用法。
【請求項１４】
少なくとも１つの個々に包装された吸収性物品と、請求項１〜１２のいずれか１項に記載の、少なくとも１つの個々に包装された洗浄用拭き取り用品とを有するキット。
【請求項１５】
各パッケージが、それぞれ、１つの吸収性物品又は１つの洗浄用拭き取り用品だけを有する請求項１４に記載のキット。
【請求項１６】
個々に包装された洗浄用拭き取り用品であって、前記洗浄用拭き取り用品が、前壁及び後壁を有するポーチ部分と、前記後壁から延出し、前記前壁の上部自由縁部に合わせた折り畳み線付近で前記前壁に折り畳まれるフラップとを有し、内面及び外面を有するシートを折り畳むことにより、可撓性包装材料から作製されたパッケージ内部に包装されており、前記パッケージは、長手方向の接合継ぎ目により、前記フラップと前記前壁の間の重なり合う部分で、前記内面が前記外面に密封されており、包装される製品を取り囲む閉じたパッケージを得るため、２つの側縁部分に沿って前記内面が前記外面に接合され、前記重なり合う部分に隣接する区域で前記外面が前記内面に接合されており、前記包装材料は、前記内面が前記外面に接合されるとき、剥離密封をもたらし、前記内面が前記外面に接合されるとき、強力密封（溶融密封）をもたらし、前記パッケージに関して見ると、前記包装材料が、ポリエチレンを含む内層と、ポリエチレンとポリプロピレンのコポリマーを含む外層と、ポリプロピレンを含む隣接する中間層とを有することを特徴とする拭き取り用品。
【請求項１７】
前記内層が、前記外層のコポリマーと異なるポリエチレン及びポリプロピレンのコポリマーである請求項１６に記載の拭き取り用品。
【発明の詳細な説明】
【技術分野】
【０００１】
本発明は、個人衛生の衛生的な吸収性物品の分野に関する。本発明の特定の焦点は、婦人衛生の吸収性物品である。本発明は、個々に包装された拭き取り用品と組み合わせた、個々に包装された吸収性物品を提供する。吸収性物品のパッケージ及び拭き取り用品のパッケージの少なくとも１つは、パッケージ側に取り付け手段を備え、他のパッケージをそれに取り付けるのを可能にする。その結果、吸収性物品のユーザは、要求に応じて個々に包装された吸収性物品と個々に包装された拭き取り用品とを組み合わせる機会が与えられる。
【背景技術】
【０００２】
身体滲出物を吸収及び処理するための、おむつ、生理用ナプキン、パンティライナー、ベッドパッドなどの吸収性物品は、当該技術分野において広く既知である。様々な衛生上の必要性のために、生理用ナプキンなどの物品は、大抵、個々に包まれているものの、おむつ、パンティライナー、又はベッドパッドは、共通のパッケージ内で積み重ねて包装されている。そのような吸収性物品を取り替えることは、衛生上のチャレンジであることも認められるが、それは、ユーザの身体の一部分が洗浄される必要があることと、また物品を取り替える人の手が汚れることもあるからである。これは、厄介なことと考えられるが、汚れた物品の取り扱いもまた同様であり、また取り替え用の新しい吸収性物品がこれによって深刻な影響を受ける。
【０００３】
身体滲出物で汚れた皮膚部分を洗浄するために拭き取り用品を使用することが、当該技術分野において広く既知である。例えば、湿りを与えられる乳幼児用拭き取り用品を使用することは、広く実行されている。そのような拭き取り用品は、織った材料から作製され、また湿性ローションを備えることが多いが、それが、洗浄と、処理される皮膚部分に皮膚効果を届けることを容易にする。拭き取り用品の水分を維持するために、これら拭き取り用品は、遮断性を有する包みで包装されている。代表的な包装された湿りを与えられる拭き取り用品は、例えば、米国特許第４，４２８，４７７号に開示されている。典型的には、洗浄用拭き取り用品は、湿性乳幼児用拭き取り用品の場合など、共通のパッケージ内で積み重ねて包装されている。他の例では、飛行機内で供給される洗浄用拭き取り用品の場合など、包みで１つだけ個々に包装された拭き取り用品がある。
【発明の開示】
【発明が解決しようとする課題】
【０００４】
現行では、体液を十分に吸収した生理用ナプキンなど、汚れた吸収性物品を取り替えようとするとき、ユーザ又は物品を取り替える人は、取り替えるための物品を有するパッケージと、洗浄するための拭き取り用品を有する別のパッケージとを持ち運ばねばならない。これは、明らかに不利であるが、それは、多数の品目、特にパッケージの開放／取り扱い及び処置が必要とされるからである。この問題の解決方法が、例えば、米国特許第５，３５０，０６７号、米国特許第４，８０８，１７５号、又は米国特許第５，５６９，２３０号に提案されている。これらの文書は、吸収性物品のパッケージ内又は上に、個々に包装された湿りを与えられる拭き取り用品を有する個々の吸収性物品を提案している。換言すれば、吸収性物品及び湿った拭き取り用品は、常に互いに固定されて組み合わされている。これら組み合わされた吸収性物品は先行の方法の改善であるが、それは、吸収性物品のパッケージと拭き取り用品のパッケージとが互いに結合しているため、取り扱われるべき部品の数及び同様の廃棄部品の数が低減されたからである。そのような構成の欠点は、製造ラインの典型的な速度で、個々に包装された吸収性物品と個々に包装された拭き取り用品との組み合わせを完成させるために、製造の点から高度の複雑さ及び正確さが必要なことである。その結果、先行技術によって提案されるそのような組み合わされた物品の製造には、かなりの費用がかかる。更に、そのような組み合わされた製品は、特別な状況でのみ消費者に必要とされ、常に必要とされるものではない。例えば、女性は、典型的には、自分が家庭外にいる時に生理用ナプキンを取り替えるのに洗浄用拭き取り用品が必要であり、また主に高流量の日にその使用を希望することが多い。他の場合には、女性は、自分の生理用ナプキンと共に洗浄用拭き取り用品を使用することに同様の必要性を感じないことがある。それ故に、そのようなかなり高価な組み合わされた物品を常に購入せねばならないこと、又はそのような物品を有する完全なパッケージを購入せねばならないことは、多くの場合どちらも不必要であると考えられるか、あるいは、女性は、通常の物品と組み合わされた物品とを保管しなければならなくなり、その結果、より広い保管スペースを使用して、女性の浴室内での収納問題を引き起こす。
【０００５】
従って、取り替える間に取り扱われる品目の数を低減することにより、便利さを増大する点では、先行技術において開示されるような組み合わされた物品の長所を有するが、しかし、用法の点では、より融通がきき、またより低価格で消費者に提供できる吸収性物品を提供することが望ましい。
【課題を解決するための手段】
【０００６】
上述の必要性は、少なくとも１つ、好ましくは多数の個々に包装された洗浄用拭き取り用品と共に包装された、少なくとも１つ、好ましくは多数の個々に包装された吸収性物品を有するキットを提供することにより、本発明で取り組まれる。吸収性物品、又は好ましくは洗浄用拭き取り用品のどちらかのパッケージは、その外側に取り付け手段、好ましくは接着剤を備え、個々に包装された洗浄用拭き取り用品を個々に包装された物品に取り付けるのを可能にする。
【０００７】
本発明のキットは、包装された拭き取り用品を吸収性物品のパッケージに取り付けることにより、吸収性物品と拭き取り用品とを組み合わせる可能性をユーザに提供する。これにより、ユーザがその必要性を感じるときにだけ、組み合わされた吸収性物品が形成される。更に、個々に包装された吸収性物品及び個々に包装された洗浄用拭き取り用品は、共通のパッケージで別個に消費者に提供されるので、複雑さが有意に減少し、その結果、そのような組み合わされた吸収性物品の製造に関して、有意な価格の低減が達成できる。
【０００８】
本発明はまた、吸収性物品のパッケージの外側に取り付けるための取り付け手段、好ましくは接着剤を有する、個々に包装された洗浄用拭き取り用品だけをも包含する。
【０００９】
本発明は、個々に包装された洗浄用拭き取り用品を更に包含し、その用品は、ラミネート材料から作製されたパッケージに包装され、ラミネート材料は、最も外側の下層としてポリエチレン（本明細書において今後ＰＥ）の層と、最も外側の上層としてポリプロピレン（ＰＰ）及びＰＥのコポリマー層とを含み、前記コポリマー層のＰＥ側が外側を向く。
【００１０】
引用される全ての文献は、その関連部分において参考として本明細書に組み込まれるが、いずれの文献の引用もそれが本発明に関連する先行技術であることの容認として解釈されるべきではない。
【発明を実施するための最良の形態】
【００１１】
本明細書では、用語「吸収性物品」は、流体及び／又は滲出物、特に体液／身体滲出物を受け取る及び／又は吸収する及び／又は収容する及び／又は保持することのできる、あらゆる物品を包含する非常に広い意味で用いられる。 本発明で称される吸収性物品は、一般に、着用者に面する層としての流体透過性トップシートと、好ましくは水蒸気及び／又は気体透過性である衣類に面する層としての流体不透過性バックシートと、それらの間に含まれる吸収性コアとを有する。更に、本発明の状況における吸収性物品は、ユーザの衣類にそれらを取り付けるための手段、特に接着剤を備える。 本発明の状況で好ましい吸収性物品は、使い捨て吸収性物品である。本発明による一般的な使い捨て吸収性物品は、例えば乳幼児のおむつのような乳幼児ケア製品；失禁パッド、及び腋窩汗パッド又はハットバンドのような発汗パッドなどの個人衛生用吸収性物品である。特に好ましい使い捨て吸収性物品は、生理用ナプキン及びパンティライナーのような婦人衛生用吸収性物品である。
【００１２】
本明細書では、「体液」又は「身体滲出物」は、人体で作られたいかなる流体をも意味し、例えば、汗、尿、血液、月経液、膣の分泌物、糞便などを包含する。
【００１３】
本明細書では、用語「使い捨て」は、洗濯されること、又は別の方法で物品として復元若しくは再使用されることを意図しない物品（即ち、それらは１回使用後に廃棄されることを意図し、好ましくは再生利用される、堆肥化される、又は別の方法で環境に適した方式で処理されることを意図する）を記載するために使用される。
【００１４】
本明細書で使用するとき、用語「使用」は、吸収性物品が実際にユーザの身体に接触して置かれた時から始まる期間を指す。
【００１５】
本明細書で使用するとき、「個々に包装された」は、１つの品目（吸収性物品又は湿性拭き取り用品）だけが、個々のパッケージに包装されることと、少数の品目、すなわち、５個までの品目が１つのパッケージに包装されることを含む。
【００１６】
本明細書で使用するとき、「組み合わされた吸収性物品」は、個々に包装された洗浄用拭き取り用品が取り付けられた個々に包装された吸収性物品を意味する。取り付けの方法は、固定されても、又は取り外し可能でもよい。
【００１７】
本発明は、少なくとも１つの個々に包装された吸収性物品と、少なくとも１つの個々に包装された拭き取り用品とを有するキットを提供する。本明細書における好ましい実施形態では、各パッケージは、各々、１つの吸収性物品だけか、又は１つの洗浄用拭き取り用品だけを有する。
【００１８】
吸収性物品のパッケージと洗浄用拭き取り用品のパッケージとの間に、十分な程度の接着性の取り付けが生じるように、洗浄用拭き取り用品のパッケージの外側の取り付け手段が選択され、適用される。接着剤が、この目的のために特に好ましい。接着剤は、好ましくは感圧性接着剤である。それ故に、適した例は、ホットメルト接着剤、コールドメルト接着剤、溶媒型接着剤、又は感圧性接着剤である。プラスチックフィルム又は不織布のような材料を互いに取り付けるために、当該技術分野において既知のあらゆる接着剤が、基本的に、本明細書において使用するのに適している。本明細書における接着剤は、幾つかの方法で、洗浄用拭き取り用品のパッケージの外側表面上に存在可能である。本明細書において適するのは、連続してコーティングされる区域として塗布することと、パターンとして塗布することである。適したパターンは、点、縞、螺旋、ビーズなどである。典型的には、洗浄用拭き取り用品のパッケージは、２つの対向する主要表面についてほぼ平坦である。本発明により、接着剤は、パッケージの１つの表面上だけに存在するのが好ましい。接着剤は、その表面の全区域を覆っても、又は表面の一部分だけを覆ってもよい。接着剤の代わりに、本明細書では両面接着性テープが使用されてもよい。本明細書では、接着剤は、好ましくは不活性であり、吸収性物品のパッケージに取り付けるために、ユーザによって活性化されねばならない。接着剤の不活性化は、例えば、接着剤を剥離紙で覆うか、又は接着剤を例えばマイクロカプセルに入れることにより可能である。それ故に、活性化は、剥離紙を取り除くこと、又はマイクロカプセルを破裂させて開放するために圧力若しくは摩擦をマイクロカプセルに加えることにより、促進可能である。しかし、接着剤が特別な方法で不活性化される必要がない、本発明による実施形態もある。これは、例えば、個々の洗浄用拭き取り用品を有するパッケージの積み重ねが使用されるとき、拭き取り用品の各パッケージが、その接着剤で他方に取り付けられており、次に、そのパッケージが剥離品目として役立つ場合である。
【００１９】
別の手法では、接着剤は、個々に包装された吸収性物品のパッケージの外側表面上に塗布される。
【００２０】
本明細書における更なる実施形態では、吸収性物品のパッケージと、拭き取り用品のパッケージは、接着剤による代わりに機械的ファスナにより組み合わされる。代表的な実施形態では、吸収性物品のパッケージは、外層として不織布を有する一方、拭き取り用品のパッケージは、パッケージ側に、いわゆるフックテープを有する。拭き取り用品のパッケージが吸収性物品のパッケージと接触する時、フックテープのフックは、不織布に係合し、その結果、両方のパッケージを互いに取り付ける事ができる。
【００２１】
本明細書における洗浄用拭き取り用品のパッケージは、好ましくは、洗浄用拭き取り用品から水分が蒸発するのを防ぐための遮断性を有する。適した遮断材料は、ラミネートであり、ＥＶＯＨ（エチレンビニルアルコール）、ＰＶＯＨ（プロピレンビニルアルコール）、又はアルミニウムの層が、ＬＤＰＥ（低密度ポリエチレン）など、ポリマー被膜層の間に挟まれている。本明細書における洗浄用拭き取り用品用のパッケージを形成するために更に適した遮断材料は、金属化した、特にアルミニウム被覆されるプラスチックフィルム；金属ホイル；配向ポリエチレンテレフタレート（ＰＥＴ）；ＰＥＴＧ（グリコールで変性されたＰＥＴ）；配向ポリアミド；芳香族ポリアミド；又は特別なラッカーのコーティングを有するポリエチレンフィルムのようなポリマー被膜であり、このコーティングは、ポリマー被膜に蒸気遮断機能性を提供する。基本的に、この目的のために当該技術分野において既知のあらゆる材料が、本明細書における使用に適している。この目的に非常に適したラミネート材料は、例えば、ＥＰ６９６，９９１に開示されている。この材料は、ラミネートであり、ＰＥ（ポリエチレン）の下層を有し、その上にアルミニウムホイル又は任意にアルミニウム被覆されるＰＥの層が接着剤で取り付けられている。アルミニウム層又はアルミニウム被覆される層の上に、ＯＰＰ（配向ポリプロピレン）とＰＥの共押出層が、接着剤で取り付けられ、ＯＰＰ側はアルミニウム層又はアルミナ化された層に向き、またＰＥ側は外側に向く。パッケージを形成するために、この材料は折り畳まれ、また向き合うＰＥ表面は、互いに加熱接合される。そのようなパッケージを開放すると、共押出したＯＰＰ／ＰＥ層のＰＥ部分は、ＯＰＰ部分から引き離される。このために、この材料で作製されたパッケージは、１回限りの開放に適しており、再閉鎖できない。拭き取り用品のパッケージは、開放補助具を有して、パッケージの開放を促進する事ができる。代表的な開放補助具は、剥ぎ取りテープ、切れ目などである。
【００２２】
本明細書において特に好ましい実施形態では、洗浄用拭き取り用品は湿性である。湿りを与えることは、最も典型的には、拭き取り用品にローションを加えることによって促進される。適したローションは、水性のもの又は非水性のものであり、室温で流体様粘弾性を有する。本明細書において使用するためのローションは、皮膚から汚れを除去するのを援助することにより、拭き取り用品の洗浄能力を増大する。更に、本明細書において使用するためのローションは、皮膚と拭き取り用品の間の摩擦を低減することにより、及び／又はアロエべラ若しくはカミツレのような、皮膚の健康を増進する材料を含むことにより、好ましくは皮膚効果もまた提供する。ユーザが気付く程度に拭き取り用品が湿り、また拭き取り用品の洗浄能力が増大する量で、ローションは拭き取り用品に提供される。絞り出しなどによって圧力を加えることなくローションが拭き取り用品から滴下するような量で、ローションを拭き取り用品に加えることは、本明細書では望ましくない。適したローションの例は、ＥＰ−Ａ−８０８，１５１、ＥＰ−Ａ−７６３，３４１、又はＰＣＴ国際公開特許ＷＯ００／５７８４３に開示されている。
【００２３】
本発明の別の態様による個々に包装された洗浄用拭き取り用品は、パッケージに包装されており、パッケージは、ポリエチレン（ＰＥ）を含む内側層と、ポリエチレン（ＰＥ）及びポリプロピレン（ＰＰ）のコポリマーを含む外層と、ポリプロピレン（ＰＰ）を含む隣接する中間層とを有するパッケージ材料から作製される。
【００２４】
内層及び外層の両方にポリマーを含むポリエチレンを使用することにより、内面を内面に接合するとき、すなわち、ＰＥを含む層がそれ自体の上に接合されるとき、ガス不透過性の強力密封が得られることに加えて、内面を外面に接合するとき、ガス不透過性の密封をもたらし、また密封の強度、すなわち、剥離強度を非常に正確に調節するのが可能になる。総じて、ガス不透過性又は耐真空性の包装はこのようにして得られ、前記包装は、剥離密封によって密封され、その特性は非常に正確に調節され得る。これらの有利な特性は、パッケージを形成、充填及び密封する縦型の機械でパッケージを合理的な方法で製造するのを可能にしたが、それは、従来、接合の質を調節する問題のために、可能ではなかった。それ故に、充填中に製品が上に落ちる時に強い応力が加えられる側縁部の接合が、熱い時に十分な強度（熱粘着強度）を有し、前記応力に抵抗する溶融密封であることが、本発明によるパッケージの本質的な特徴である。これは、側縁部の接合が可剥性である既知の剥離密封のパッケージと対照的である。
【００２５】
洗浄用拭き取り用品は、内面及び外面を有する材料のシートを折り畳むことにより、可撓性包装材料から作製されたパッケージに包装される。パッケージは、前壁及び後壁を有するポーチ部分と、後壁から延出し、前壁の上部自由端部と本質的に整合する折り畳み線付近で前壁の上に折り畳まれるフラップとを更に有する。パッケージは、長手方向の接合継ぎ目により、フラップと前壁の間の重なり合う部分において、外面に密封された内面を有する。包装される製品を取り囲む閉じたパッケージを得るため、２つの側縁部分に沿って、内面が外面に接合され、重なり合う部分に隣接する区域で、外面が内面に接合される。包装材料は、内面が外面に接合されるとき、剥離密封をもたらし、また内面が内面に接合されるとき、強力密封（溶融密封）をもたらす。パッケージに関して見ると、包装材料は、ポリエチレン（ＰＥ）を含む内層と、ポリエチレン及びポリプロピレンのコポリマーを含む外層と、ポリプロピレン（ＰＰ）を含む隣接する中間層とを有する。
【００２６】
本発明により、内層は、外層のコポリマーと異なるＰＥ及びＰＰのコポリマーであってもよい。
【００２７】
本発明のこの態様の洗浄用拭き取り用品は、様々な分野において有用であってもよい。例としては、乳幼児用拭き取り用品、婦人衛生用拭き取り用品、若しくは湿性トイレットペーパーなどの、個人衛生用洗浄用拭き取り用品、又は例えば表面洗浄用などの、家事の分野での洗浄用拭き取り用品である。
【００２８】
本発明の特定の実施形態を例示し記載したが、本発明の精神及び範囲から逸脱することなく、他の様々な変更及び修正を実施できることが、当業者には明白であろう。したがって、本発明の範囲内にあるそのようなすべての変更及び修正を、添付の特許請求の範囲で扱うものとする。
【国際調査報告】
2008502375.tif 000002
2008502375.tif 000003
2008502375.tif 000004
2008502375.tif 000005